(57)【要約】【課題】最後のテッシュペーパーまで確実に取り出しでき、箱体２を占有面積の小さい垂直姿勢として倒すことなくテッシュペーパー１を引き出して、多種多様な用途に便利に使用する。【解決手段】取出開口部３のある箱体２の内部に複数のテッシュペーパー１を積層しており、テッシュペーパー１は、二つ折りされて２層の平面部１Ａを折り畳み縁１Ｂで連結して、２層の平面部１Ａの間に隣接するテッシュペーパー１の平面部１Ａを挟み、上下に隣接するテッシュペーパー１の折り畳み縁１Ｂは交互に反対側に位置し、平面部１Ａを表面２Ａと平行として、折り畳み縁１Ｂを側面２Ｃの内側に配置する姿勢で箱体２に収納され、取出開口部３は、箱体２の端部に設けられて、表面２Ａの幅方向に延びる形状としている。【選択図】図１
2018104081.tif 000002
【特許請求の範囲】
【請求項１】
表面及び底面と、表面及び底面の両側に連結してなる一対の側面と、表面及び底面と一対の側面の端面に連結してなる一対の端面とからなる６面の箱体と、
前記箱体の内部に積層状態に収納してなる複数枚のテッシュペーパーとを備え、
前記箱体は取出開口部を有し、前記開口部から内部に収納してなる前記テッシュペーパーが引き出しされる箱入りテッシュペーパーであって、
前記テッシュペーパーは、二つ折りされて２層の平面部が折り畳み縁で連結され、前記折り畳み縁で連結してなる２層の平面部の間には、隣接するテッシュペーパーの平面部が挟まれ、さらに上下に隣接して積層してなる前記テッシュペーパーの前記折り畳み縁は交互に反対側に位置し、
さらに又、前記テッシュペーパーは、前記平面部を前記表面及び底面と平行とし、かつ前記折り畳み縁を前記側面の内側に配置する姿勢で前記箱体に収納され、
前記取出開口部が、前記箱体の一端部であって前記表面の幅方向に延びる形状として開口されてなることを特徴とする箱入りテッシュペーパー。
【請求項２】
請求項１に記載される箱入りテッシュペーパーであって、
前記取出開口部は、前記表面と前記端面との境界線に沿って伸びる細長い形状であって、長手方向を前記テッシュペーパーの折り畳み縁と直交する方向として、前記表面と前記端面との境界部分に設けられてなることを特徴とする箱入りテッシュペーパー。
【請求項３】
請求項１又は２に記載される箱入りテッシュペーパーであって、
前記取出開口部が前記端面に開口されて、前記表面と前記端面との境界部分に設けられてなることを特徴とする箱入りテッシュペーパー。
【請求項４】
請求項３に記載される箱入りテッシュペーパーであって、
前記取出開口部が、前記表面と前記端面の両方に開口されて、前記表面と前記端面との境界部分に設けられてなることを特徴とする箱入りテッシュペーパー。
【請求項５】
請求項３に記載される箱入りテッシュペーパーであって、
前記取出開口部が、前記表面に設けられて、前記表面と前記端面との境界部分に設けられてなることを特徴とする箱入りテッシュペーパー。
【請求項６】
請求項１ないし５のいずれかに記載される箱入りテッシュペーパーであって、
前記箱体が、前記表面の長手方向を垂直姿勢に自立姿勢を保持できる形状としてなることを特徴とする箱入りテッシュペーパー。
【請求項７】
表面及び底面と、表面及び底面の両側に連結してなる一対の側面と、表面及び底面と一対の側面の端面に連結してなる一対の端面とからなる６面の箱体と、
前記箱体の内部に積層状態に収納してなる複数枚のテッシュペーパーとを備え、
前記箱体は取出開口部を有し、前記取出開口部から内部に収納してなる前記テッシュペーパーが引き出しされる箱入りテッシュペーパーの使用方法であって、
前記テッシュペーパーは、二つ折りされて２層の平面部を折り畳み縁で連結して、前記折り畳み縁で連結してなる２層の平面部の間には、隣接するテッシュペーパーの平面部を挟み、さらに上下に隣接して積層してなる前記テッシュペーパーの前記折り畳み縁を交互に反対側に位置し、
前記取出開口部を、前記箱体の端部であって前記表面の幅方向に延びる形状として開口し、
前記取出開口部を前記表面の上縁又は下縁に配置して、前記取出開口部から前記テッシュペーパーを垂直方向に引き出しできる姿勢に前記箱体を配置して、前記取出開口部から前記テッシュペーパーを引き出すことを特徴とする箱入りテッシュペーパーの使用方法。
【請求項８】
請求項７に記載される箱入りテッシュペーパーの使用方法であって、
前記取出開口部を、前記表面と前記端面との境界線に沿って伸びる細長い形状として、取出開口部の長手方向を前記テッシュペーパーの折り畳み縁と直交する方向として、前記表面と前記端面との境界部分に設けることを特徴とする箱入りテッシュペーパーの使用方法。
【請求項９】
請求項７又は８に記載される箱入りテッシュペーパーの使用方法であって、
前記箱体の上端に前記取出開口部を配置して、上端に配置してなる前記取出開口部から前記テッシュペーパーを上方に引き出すことができる垂直姿勢に前記箱体を配置して、前記箱体から前記テッシュペーパーを引き出すことを特徴とする箱入りテッシュペーパーの使用方法。
【請求項１０】
請求項７又は８に記載される箱入りテッシュペーパーの使用方法であって、
前記箱体を垂直姿勢に自立させるスタンドで前記箱体を垂直姿勢に保持し、前記箱体を前記スタンドにセットして、前記取出開口部を上縁に配置する姿勢で前記箱体を垂直姿勢に保持して、上縁の前記取出開口部から前記テッシュペーパーを上方に引き出すことを特徴とする箱入りテッシュペーパーの使用方法。
【請求項１１】
請求項８に記載される箱入りテッシュペーパーの使用方法であって、
前記箱体を吊り下げて下縁に前記取出開口部を配置して、下縁の前記取出開口部から前記テッシュペーパーを下方に引き出すことができる垂直姿勢に配置して、前記取出開口部から前記テッシュペーパーを引き出すことを特徴とする箱入りテッシュペーパーの使用方法。
【発明の詳細な説明】
【技術分野】
【０００１】
本発明は、複数のテッシュペーパーを積層状態で箱体に収納して、取出開口部から取り出されるテッシュペーパーでもって、次に引き出されるテッシュペーパーの一部を引き出しできるようにしてなる箱入りテッシュペーパーとその使用方法に関する。
【背景技術】
【０００２】
テッシュペーパーは種々の用途に便利に使用される。とくに、テッシュペーパーを引き出すと、次に引き出されるテッシュペーパーの一部が取出開口部から引き出される箱入りテッシュペーパーは、極めて便利に使用できる。
従来の箱入りテッシュペーパーは、箱体表面に取出開口部を設けて、箱体の内部には、テッシュペーパーを上下方向に積層している。また、内部のテッシュペーパーが見えるように、箱体に窓を設けた箱入りテッシュペーパーも開発されている。（特許文献１参照）
以上の箱入りテッシュペーパーは、箱体の内部に、複数枚のテッシュペーパーを二つ折りに折り畳んで、ふたつの平面部を２層に積層して収納する。２層に積層されるテッシュペーパーの平面部は、片側を折り曲げ部で連結する状態に折り畳まれる。折り曲げ部で連結している一対の平面部の間に、上下に隣接して積層しているテッシュペーパーの平面部を挟み、さらに、上下に隣接して積層しているテッシュペーパーの折り曲げ部を交互に反対側に位置させて、複数枚のテッシュペーパーを積層して箱体に収納している。この状態に折り畳んで積層されるテッシュペーパーは平面部を水平姿勢として箱体に収納される。この箱入りテッシュペーパーは、取出開口部からテッシュペーパーを引き出すと、平面部の摩擦力で、次に引き出されるテッシュペーパーの一部を取出開口部から引き出して、簡単に引き出しできる状態とする。
【先行技術文献】
【特許文献】
【０００３】
【特許文献１】実用新案登録第３０７０２２４号公報
【発明の概要】
【発明が解決しようとする課題】
【０００４】
従来の箱入りテッシュペーパーの断面図を図８に示す。この構造の箱入りテッシュペーパーは、テッシュペーパー１を二つ折りして、すなわち、上側と下側に配置する上下２層の平面部１Ａを、折り畳み縁１Ｂで連結する形状に折り畳み、２層の平面部１Ａの間に、下に積層しているテッシュペーパー１の上側の平面部１Ａを挟む状態で積層している。最上層にあるテッシュペーパー１は、上側の平面部１Ａの一部を取出開口部３から引き出して、取り出し部１Ｃとしている。取り出し部１Ｃを摘んでテッシュペーパー１を引き上げると、箱体２から引き出されるテッシュペーパー１の下側の平面部１Ａが、下層のテッシュペーパー１の上側の平面部１Ａを引き上げて、その一部を取出開口部３から引き出して取り出し部１Ｃとする。この構造は、テッシュペーパーが少なくなると、次のテッシュペーパーを確実に引き出しできない欠点がある。それは、図９に示すように、テッシュペーパー１が少なくなるにしたがって重力で箱体２の底部に溜まり、取出開口部３との距離が長くなって、引き上げられるテッシュペーパー１との接触部分が少なくなって摩擦抵抗力が小さくなるからである。
【０００５】
さらに、従来の箱入りテッシュペーパーは、表面の中央部に長手方向にのびる取出開口部を設けているので、細長い箱体を立てる状態で、テッシュペーパーを引き出しできない欠点がある。それは、テッシュペーパーを水平方向に引き出しすと、垂直姿勢の箱体が転倒するからである。したがって、従来の箱入りテッシュペーパーは、表面を水平姿勢とする状態で箱体を水平に配置して、テッシュペーパーを上に引き出して使用する使用状態に特定される。この使用状態は、箱体の占有面積が大きくなる。したがって、狭いテーブルなどで使用すると、占有面積が大きくなって、テーブルを有効に使用できなくなる弊害がる。このことは、使用場所を制限して、種々の用途に便利に使用できない欠点となる。
【０００６】
本発明は、以上の欠点を解決することを目的に開発されたものである。本発明の重要な目的は、最後のテッシュペーパーまで確実に取り出して使用できることに加えて、箱体を占有面積の小さい垂直姿勢で使用でき、また、箱体を倒すことなく、テッシュペーパーを上方に引き出し、あるいは下方に引き出す状態で使用できることで、多種多様な用途で極めて便利に使用できる箱入りテッシュペーパーを提供するにある。
【課題を解決するための手段及び発明の効果】
【０００７】
本発明の箱入りテッシュペーパーは、表面２Ａ及び底面２Ｂと、表面２Ａ及び底面２Ｂの両側に連結してなる一対の側面２Ｃと、表面２Ａ及び底面２Ｂと一対の側面２Ｃの端部に連結してなる一対の端面２Ｄとからなる６面の箱体２と、箱体２の内部に積層状態に収納している複数枚のテッシュペーパー１とを備える。箱体２は取出開口部３を有し、取出開口部２から内部に収納してなるテッシュペーパー１が引き出しされる。テッシュペーパー１は、二つ折りされて２層の平面部１Ａを折り畳み縁１Ｂで連結して、折り畳み縁１Ｂで連結している２層の平面部１Ａの間には、隣接するテッシュペーパー１の平面部１Ａを挟み、さらに上下に隣接して積層しているテッシュペーパー１の折り畳み縁１Ｂを交互に反対側に配置している。又、箱体２は、テッシュペーパー１は、平面部１Ａを表面２Ａ及び底面２Ｂと平行とし、かつ折り畳み縁１Ｂを側面２Ｃの内側に配置する姿勢で収納している。取出開口部３は、箱体の端部であって表面２Ａの幅方向に延びる形状としている。
【０００８】
以上の箱入りテッシュペーパーは、最後のテッシュペーパー１まで確実に引き出して使用できる。テッシュペーパー１が少なくなっても、テッシュペーパー１が取出開口部３から離れる方向に自重で移動することがなく、次に引き出されるテッシュペーパー１は、側縁を取出開口部３の近傍に配置し、さらに、先に取り出されるテッシュペーパー１が２層の平面部１Ａで次に引き出されるテッシュペーパー１の平面部１Ａを挟んで取出開口部３から引き出すからである。すなわち、次に引き出されるテッシュペーパー１は、側縁を取出開口部３の近傍に配置するので、わずかに移動して取り出し部１Ｃを取出開口部３から突出でき、さらにまた、取り出されるテッシュペーパー１が２層の平面部１Ａで、引き出されるテッシュペーパー１の平面部１Ａを挟む状態となって広い面積で接触して、引き出す摩擦抵抗が大きくなるからである。
【０００９】
さらに、以上の箱入りテッシュペーパーは、箱体の端部であって、表面２Ａの幅方向に延びる形状とする取出開口部３を設けているので、二つ折りして収納されたテッシュペーパー１は、側縁を取出開口部３の長手方向と平行な方向として収納される。このテッシュペーパー１は、図８と図９に示す従来のテッシュペーパー１のように、湾曲されながら取出開口部３から取り出されることがなく、平面部１Ａを平行移動させて取出開口部３から引き出される。このことは、全てのテッシュペーパー１を残らず箱体２からスムーズに取り出しできることに効果がある。
【００１０】
さらにまた、以上の箱入りテッシュペーパーは、箱体２を垂直姿勢に立てる姿勢でテッシュペーパー１を取り出しできるので、垂直姿勢の箱体２を倒すことなく、スムーズにテッシュペーパー１を取り出しできる。この状態で使用できる箱入りテッシュペーパーは、種々の用途に極めて便利に使用できる。テーブルの上などに、箱体２を垂直に立てて、紙ナプキンに代わって使用できるからである。食卓などのテーブルにおいて多用される紙ナプキンは、二つ折りし、垂直な姿勢で水平方向に積層して、上方開口のケースに入れて使用される。この状態で使用される紙ナプキンは、ケースに積層状態に入れるのに手間がかかる。また、箱入りテッシュペーパーにように取り出し部１Ｃが突出されないので、１枚づつ取り出すのに手間がかかる。また、箱に収納されないので、衛生的でない弊害もある。紙ナプキンに代わって使用される箱入りテッシュペーパーは、箱体２を垂直姿勢に立てて使用できるので、紙ナプキンのように箱体２に収納する手間がかからず、また箱体２に収納されて衛生的であり、さらに、取り出し部１Ｃが突出するので１枚づつ簡単に取り出しできる特徴がある。
【００１１】
さらに、以上の箱入りテッシュペーパーは、壁に掛けて箱体２を垂直姿勢として、テッシュペーパー１を下方に引き出して使用することもできるので、トイレットペーパーに代わって使用でき、さらに、洗面所で使用される手ふき用のペーパーにも代わって使用できるなど、種々の用途に極めて便利に使用できる特徴がある。
【００１２】
本発明の箱入りテッシュペーパーは、取出開口部３を表面２Ａと端面２Ｄとの境界線に沿って伸びる細長い形状として、箱体２の表面２Ａと端面２Ｄとの境界部分に設けることができる。以上の箱入りテッシュペーパーは、取出開口部を細長い形状とするので、取出開口部を下に開口する姿勢で箱体を垂直姿勢として使用しても、テッシュペーパーが自重で取出開口部から落下することがない。
【００１３】
本発明の箱入りテッシュペーパーは、取出開口部３を箱体２の端面２Ｄに開口し、あるいは表面２Ａと端面２Ｄの両方に開口し、あるいは又、表面２Ａに開口して、表面２Ａと端面２Ｄとの境界部分に配置することができる。
【００１４】
本発明の箱入りテッシュペーパーは、箱体２を、表面２Ａの長手方向を垂直姿勢として自立姿勢を保持できる形状とすることができる。
【００１５】
本発明の箱入りテッシュペーパーの使用方法は、表面２Ａ及び底面２Ｂと、表面２Ａ及び底面２Ｂの両側に連結してなる一対の側面２Ｃと、表面２Ａ及び底面２Ｂと一対の側面２Ｃの端面２Ｄに連結してなる一対の端面２Ｄとからなる６面の箱体２と、箱体２の内部に積層状態に収納してなる複数枚のテッシュペーパー１とを備え、箱体２は取出開口部３を有し、この取出開口部３から内部に収納しているテッシュペーパー１を取り出す。テッシュペーパー１は、二つ折りされて２層の平面部１Ａを折り畳み縁１Ｂで連結して、前記折り畳み縁１Ｂで連結している２層の平面部１Ａの間には、隣接するテッシュペーパー１の平面部１Ａを挟み、さらに上下に隣接して積層しているテッシュペーパー１の折り畳み縁１Ｂを交互に反対側に位置させている。取出開口部３は、箱体２の端部であって表面２Ａの幅方向に延びる形状として開口している。箱体２は、取出開口部３を表面２Ａの上縁又は下縁に配置して、取出開口部３からテッシュペーパー１を垂直方向に引き出しできる姿勢に配置され、取出開口部３からテッシュペーパー１が垂直方向に引き出される。
【００１６】
本発明の箱入りテッシュペーパーの使用方法は、取出開口部３を表面２Ａと端面２Ｄとの境界線に沿って伸びる細長い形状として、長手方向をテッシュペーパーの折り畳み縁１Ｂと直交する方向として、表面２Ａと端面２Ｄとの境界部分に設けることができる。
【００１７】
本発明の箱入りテッシュペーパーの使用方法は、箱体２の上端に取出開口部３を配置して、上端に配置している取出開口部３からテッシュペーパー１を上方に引き出すことができる垂直姿勢に箱体２を配置して、箱体２からテッシュペーパー１を引き出すことができる。
【００１８】
本発明の箱入りテッシュペーパーの使用方法は、箱体２を垂直姿勢に自立させるスタンドで箱体２を垂直姿勢に保持し、箱体２をスタンドにセットして、取出開口部３を上縁に配置する姿勢で箱体２を垂直姿勢に保持して、上縁の取出開口部３からテッシュペーパー１を上方に引き出すことができる。
【００１９】
本発明の箱入りテッシュペーパーの使用方法は、箱体２を吊り下げて下縁に取出開口部３を配置して、下縁の取出開口部３からテッシュペーパー１を下方に引き出すことができる垂直姿勢に配置して、取出開口部３からテッシュペーパー１を引き出すことができる。
【図面の簡単な説明】
【００２０】
【図１】本発明の実施例にかかる箱入りテッシュペーパーの斜視図である。
【図２】図１に示す箱入りテッシュペーパーの水平断面図である。
【図３】図１に示す箱入りテッシュペーパーの使用状態を示す正面図である。
【図４】図１に示す箱入りテッシュペーパーの他の使用状態を示す正面図である。
【図５】箱体２からテッシュペーパー１が取り出される状態を示す斜視図である。
【図６】箱体２からテッシュペーパー１が取り出される状態を示す斜視図である。
【図７】箱体２からテッシュペーパー１が取り出される状態を示す斜視図である。
【図８】従来の箱入りテッシュペーパーからテッシュペーパー１が取り出される状態を示す断面図である。
【図９】従来の箱入りテッシュペーパーからテッシュペーパー１が取り出される状態を示す断面図である。
【発明を実施するための形態】
【００２１】
以下、本発明の実施例を図面に基づいて説明する。ただし、以下に示す実施例は、本発明の技術思想を具体化するための箱入りテッシュペーパーとその使用方法を例示するものであって、本発明は箱入りテッシュペーパーとその使用方法を以下に特定しない。
【００２２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２３】
図１の斜視図と図２の断面図に示す箱入りテッシュペーパーは、箱体２と、この箱体２に収納している複数枚のテッシュペーパー１とからなる。箱体２は各面を四角形とする６面の直方体で、表面２Ａ及び底面２Ｂと、表面２Ａ及び底面２Ｂの両側に連結している一対の側面２Ｃと、表面２Ａ及び底面２Ｂと側面２Ｃの端部に連結してなる一対の端面２Ｄからなる６面の直方体である。図の箱体２は、表面２Ａ及び底面２Ｂと、側面２Ｃを長方形として細長い直方体としている。
【００２４】
箱体２は、テッシュペーパー１を取り出す取出開口部３を、表面２Ａと端面２Ｄとの境界部分に設けている。取出開口部３は、箱体２の端部であって表面２Ａの幅方向に延びる形状に開口されている。幅方向に延びる取出開口部は、テッシュペーパーをスムーズに取り出しできるように、その開口幅（Ｗ１）を表面の横幅（Ｗ２）の５０％以上、好ましくは６０％以上、さらに好ましくは７０％以上、最適には８０％以上とする。
【００２５】
図１の箱体は、取出開口部３を、表面２Ａと端面２Ｄとの境界線に沿って伸びる細長い形状とし、さらに、表面２Ａと端面２Ｄの何れか又は両方に開口して、表面２Ａと端面２Ｄとの境界部分に配置している。表面２Ａと端面２Ｄとの境界線の方向に伸びる細長い取出開口部３は、その長手方向を、収納しているテッシュペーパー１の側縁と平行な方向とする。この取出開口部３は、取り出されるテッシュペーパー１が、平面部１Ａを平行移動する状態でスムーズに取り出される。とくに、図１の箱入りテッシュペーパーは、端面２Ｄの一部に取出開口部３を開口して、表面２Ａと端面２Ｄとの境界部分に取出開口部３を設けているので、テッシュペーパー１が平面部１Ａを垂直方向に平行移動させてよりスムーズに取り出される。ただ、図示しないが、取出開口部３は、端面２Ｄと表面２Ａの両方に開口し、あるいは表面２Ａに開口して表面２Ａと端面２Ｄとの境界部分に設けることもできる。さらに、図示しないが、取出開口部は端面の全面に開口することもできる。この箱体は、テッシュペーパーを上方に引き出して最後まで残らず確実に取り出しできる。下端に取出開口部を設けて、テッシュペーパーを下方に引き出して取り出す箱体は、端面の一部に取出開口部を設ける構造として、収納しているテッシュペーパーが少なくなる状態で落下して排出されるのを防止できる。
【００２６】
図１又は図３に示すように、箱体２を垂直姿勢に配置して、テッシュペーパー１を上方に引き出し、あるいは下方に引き出すことで、種々の用途に便利に使用できる。箱体２は、自立できる形状として、小さい占有面積でテーブルなどで便利に使用できる。垂直姿勢に自立できる箱体２は、たとえば、長方形である表面２Ａと側面２Ｃの比率、すなわち横幅（Ｗ）／長さ（Ｌ）を、０．４以上であって１以下とする。
【００２７】
図４の箱体２は、スタンドを介して垂直姿勢に配置される。スタンド４は、箱体２を安定に自立できる底プレート４Ｂの上面に、箱体２を垂直方向に脱着できる脱着筒４Ａを設けている。脱着筒４Ａは内形を箱体２の外形よりも僅かに大きくして、箱体２を垂直姿勢に挿入できる形状としている。スタンド４は、箱体２を脱着筒４Ａに挿入して、倒れないように安定に垂直姿勢に保持する。箱体２は、取出開口部３を上縁に配置する姿勢で脱着筒４Ａに挿入されて垂直姿勢に保持される。この状態で、上縁の取出開口部３からテッシュペーパー１が上方に引き出して取り出される。スタンド４にセットして垂直姿勢に保持される箱体２は、安定に自立できない形状、すなわちテッシュペーパー１の収納枚数が少なくて、側面２Ｃの幅が狭いものを安定に垂直姿勢に配置して、テッシュペーパー１を引き出すことができる。この使用状態は、たとえばテーブルに紙ナプキンに代わって便利に使用できる。
【００２８】
図３の箱体２は、取出開口部３を下縁に配置する姿勢で吊り下げられて、垂直姿勢に配置される。この箱体２は、上下を開口して、下端には箱体２の落下を阻止する鍔（図示せず）を設けた筒体５を介して壁面などに吊り下げられる。筒体５は、内形を箱体２よりも僅かに大きくして、箱体２を上から脱着自在に挿入する。箱体２の挿入された筒体５は、紐、チェーン、鎖などの紐を介して壁面に吊り下げされる。垂直姿勢に吊り下げされる箱体２は、下縁の取出開口部３からテッシュペーパー１を下方に引っ張って取り出す用途に使用される。この使用状態は、トイレの壁面に吊り下げてトイレットペーパーに使用され、あるいは、洗面所の壁面に吊り下げられて手ふき用のペーパーに代わって便利に使用できる。とくに、箱体２を吊り下げして使用する使用できる。
【００２９】
図２に示すように、テッシュペーパー１は、二つ折りされて２層の平面部１Ａを折り畳み縁１Ｂで連結する状態に積層されて箱体２に収納される。箱体２内のテッシュペーパー１は、２層の平面部１Ａを箱体２の表面２Ａ及び底面２Ｂと平行とする姿勢で、折り畳み縁１Ｂを箱体２側面２Ｃの内側に位置させる状態で収納される。さらにテッシュペーパー１は、取り出されるテッシュペーパー１が次ぎに引き出されるテッシュペーパー１の一部を取り出し部１Ｃとして取出開口部３から引き出すために、折り畳み縁１Ｂで連結している２層の平面部１Ａの間に、次に引き出されるテッシュペーパー１の平面部１Ａを挟む状態で積層して、上下に隣接して積層しているテッシュペーパー１の折り畳み縁１Ｂを交互に反対側に配置して収納される。
【００３０】
以上の状態で箱体２に収納されるテッシュペーパー１は、平面部１Ａの側縁を細長い取出開口部３の長手方向と平行とし、折り畳み縁１Ｂを取出開口部３の長手方向と直交する状態として箱体２に収納される。この状態で箱体２に収納されるテッシュペーパー１は、平面部１Ａの側縁の一部を取り出し部１Ｃとして取出開口部３から突出させる。取り出し部１Ｃを手で掴んでテッシュペーパー１を取り出すと、平面部１Ａを平行移動させながら、折り畳み縁１Ｂの長手方向に移動して箱体２から引き出される。箱体２から取り出されるテッシュペーパー１は、２層の平面部１Ａでもって次に引き出されるテッシュペーパー１の平面部１Ａを挟んで平面部１Ａの一部を取り出し部１Ｃとして取出開口部３から引き出す。
【００３１】
図５〜図７は、取り出し部１Ｃを掴んで取り出することで、次のテッシュペーパー１が引き出される状態を示している。図５は、平面部１Ａの一部が取り出し部１Ｃとして取出開口部３から突出された状態を示す。この取り出し部１Ｃを掴んで排出口から取り出すと、図５と図７に示すように、次に引き出されるテッシュペーパー１が取出開口部３から引き出される。本発明の箱入りテッシュペーパーは、理想的な使用状態において、箱体２を垂直姿勢として、テッシュペーパー１を垂直方向に引っ張って箱体２から取り出す。垂直方向に取り出されるテッシュペーパー１は、垂直姿勢にある２層の平面部１Ａで、次に引き出されるテッシュペーパー１の平面部１Ａを挟んで垂直方向に引き出す。この姿勢で箱体２から引き出されるテッシュペーパー１は、垂直姿勢にある平面部１Ａが垂直方向に移動して箱体２から引き出される。垂直姿勢にある２層の平面部１Ａと折り畳み縁１Ｂとを垂直方向に移動させて箱体２から引き出されるテッシュペーパー１は、変形することなく取出開口部３からスムーズに引き出される。
【００３２】
また、平面部１Ａを垂直姿勢として箱体２内に積層されるテッシュペーパー１は、箱体２内で水平方向に積層される。水平方向に積層されるテッシュペーパー１は、残り少なくなっても、自重で取出開口部３から離れる方向に移動することはない。重力がテッシュペーパー１の積層方向に作用せず、平面部１Ａと平行な方向に作用するからである。したがって、残りの枚数が少なくなっても、テッシュペーパー１が自重で取出開口部３から離れることがなく、取出開口部３からスムーズに引き出される。
【００３３】
以上の箱入りテッシュペーパーは、箱体を直方体とするが、図３と図４に示すように、箱体２を垂直姿勢に立てて使用する用途においては、図において鎖線で示すように、端面２Ｄを取出開口部３に向かって下り勾配に傾斜する傾斜面とすることもできる。この形状の箱体２は、テッシュペーパー１が下り勾配に傾斜する端面に沿って取出開口部３に向かって滑り落ちるので、テッシュペーパー１をよりスムーズに取出開口部３から取り出しできる特徴がある。とくに、テッシュペーパーが残り少なくなった状態において、テッシュペーパー１が下り勾配の端面を滑り落ちて取出開口部側に移動するので、この状態においてもテッシュペーパーをより確実に取り出しできる特徴がある。また、図３に示すように、箱体２を吊り下げて、下端の端面に設けた取出開口部３からテッシュペーパーを取り出す状態では、取出開口部３が下方に突出してテッシュペーパーをより取り出し易くなる特徴がある。
【産業上の利用可能性】
【００３４】
本発明の箱入りテッシュペーパーは専有面積を小さくして、テーブルの紙ナプキンや洗面所の手ふき用のペーパーやトイレットペーパーなどに代わって種々の用途に便利に使用できる。
【符号の説明】
【００３５】
１…テッシュペーパー
１Ａ…平面部
１Ｂ…折り畳み縁
１Ｃ…取り出し部
２…箱体
２Ａ…表面
２Ｂ…底面
２Ｃ…側面
２Ｄ…端面
３…取出開口部
４…スタンド
４Ａ…脱着筒
４Ｂ…底プレート
５…筒体
【図１】
2018104081.tif 000003
【図２】
2018104081.tif 000004
【図３】
2018104081.tif 000005
【図４】
2018104081.tif 000006
【図５】
2018104081.tif 000007
【図６】
2018104081.tif 000008
【図７】
2018104081.tif 000009
【図８】
2018104081.tif 000010
【図９】
2018104081.tif 000011